(57)【要約】【課題】入射光の分割の有無を機動的に切り替え可能な光学部材および光学装置を提供する。【解決手段】第１面と第１面に対し平行でない第２面とを有する、複屈折性結晶基材からなる第１プリズムと、第３面と第３面に対し平行でない第４面とを有する、複屈折性結晶基材からなる第２プリズムとを、第２面と第３面とが平行に対面するように配置したウォラストンプリズムにおいて、第２面と第３面との間に所定間隔の隙間を設け、この隙間に、それぞれに透明電極が配置された一対の透明基板と透明基板の間に注入された液晶とからなる可変偏光手段を挿入することにより、透明電極への荷電状態によって、ウォラストンプリズムの偏光分離効果をスイッチングする光学部材。【選択図】図１
2013130807.tif 000002
【特許請求の範囲】
【請求項１】
第１面と前記第１面に対し平行でない第２面とを有する、複屈折性結晶基材からなる第１プリズムと、第３面と前記第３面に対し平行でない第４面とを有する、複屈折性結晶基材からなる第２プリズムとを、前記第２面と前記第３面とが平行に対面するように配置したウォラストンプリズムにおいて、
前記第２面と前記第３面との間に所定間隔の隙間を設け、この隙間に、それぞれに透明電極が配置された一対の透明基板と前記透明基板の間に注入された液晶とからなる可変偏光手段を挿入することにより、前記透明電極への荷電状態によって、前記ウォラストンプリズムの偏光分離効果をスイッチングすることを特徴とする光学部材。
【請求項２】
第１面と前記第１面に対し平行でない第２面とを有する、複屈折性結晶基材からなる第１プリズムと、第３面と前記第３面に対し平行でない第４面とを有する、複屈折性結晶基材からなる第２プリズムとを、前記第２面と前記第３面とが平行に対面するように配置したウォラストンプリズムにおいて、
前記第２面と前記第３面との間に所定間隔の隙間を設け、前記第２面と前記第３面とに一対の透明電極を配置し、前記透明電極の間に注入された液晶からなる可変偏光手段を構成することにより、前記透明電極への荷電状態によって、前記ウォラストンプリズムの偏光分離効果をスイッチングすることを特徴とする光学部材。
【請求項３】
第１面と前記第１面に対し平行でない第２面とを有する、複屈折性結晶基材からなる第１プリズムと、第３面と前記第３面に対し平行でない第４面とを有する、複屈折性結晶基材からなる第２プリズムとを、前記第２面と前記第３面とが平行に対面すると共に前記第１プリズムおよび前記第２プリズムの結晶軸の方向が一致した方向に配置した光学プリズムにおいて、
前記第２面と前記第３面との間に所定間隔の隙間を設け、この隙間に、それぞれに透明電極が配置された一対の透明基板と、前記透明基板の間に注入された液晶とからなる可変偏光手段を挿入することにより、前記透明電極への荷電状態によって、前記光学プリズムの偏光分離効果をスイッチングすることを特徴とする光学部材。
【請求項４】
光源からの光束を請求項１〜３のいずれか一項に記載の光学部材を介して試料に照射する光分割手段と、
前記試料からの光束を受光し画像信号を出力する撮像手段と、
前記一対の透明電極に荷電されているときに前記撮像手段から出力された第１の画像信号と、前記一対の透明電極に荷電されていないときに前記撮像手段から出力された第２の画像信号とに基づいて、前記試料の光位相像と光透過率分布像とを任意の比率で重畳した第３の画像信号を出力する画像処理手段と、
を備えることを特徴とする光学装置。
【発明の詳細な説明】
【技術分野】
【０００１】
本発明は、光学部材および光学装置に関する。
【背景技術】
【０００２】
従来、ウォラストンプリズム等、微分干渉顕微鏡等に用いられる、結晶を用いた光束分割用光学部材が知られている。例えば特許文献１には、電極に印加するＤＣ電圧により位相差が可変に構成された複屈折光学構成要素が記載されている。
【先行技術文献】
【特許文献】
【０００３】
【特許文献１】特開２００７−２７９７４７号公報
【発明の概要】
【発明が解決しようとする課題】
【０００４】
特許文献１に記載の複屈折光学構成要素には、入射光の分割の有無を機動的に切り替えることができないという問題があった。
【課題を解決するための手段】
【０００５】
請求項１に係る発明は、第１面と第１面に対し平行でない第２面とを有する、複屈折性結晶基材からなる第１プリズムと、第３面と第３面に対し平行でない第４面とを有する、複屈折性結晶基材からなる第２プリズムとを、第２面と第３面とが平行に対面するように配置したウォラストンプリズムにおいて、第２面と第３面との間に所定間隔の隙間を設け、この隙間に、それぞれに透明電極が配置された一対の透明基板と透明基板の間に注入された液晶とからなる可変偏光手段を挿入することにより、透明電極への荷電状態によって、ウォラストンプリズムの偏光分離効果をスイッチングすることを特徴とする光学部材である。
請求項２に係る発明は、第１面と第１面に対し平行でない第２面とを有する、複屈折性結晶基材からなる第１プリズムと、第３面と第３面に対し平行でない第４面とを有する、複屈折性結晶基材からなる第２プリズムとを、第２面と第３面とが平行に対面するように配置したウォラストンプリズムにおいて、第２面と第３面との間に所定間隔の隙間を設け、第２面と第３面とに一対の透明電極を配置し、透明電極の間に注入された液晶からなる可変偏光手段を構成することにより、透明電極への荷電状態によって、ウォラストンプリズムの偏光分離効果をスイッチングすることを特徴とする光学部材である。
請求項３に係る発明は、第１面と第１面に対し平行でない第２面とを有する、複屈折性結晶基材からなる第１プリズムと、第３面と第３面に対し平行でない第４面とを有する、複屈折性結晶基材からなる第２プリズムとを、第２面と第３面とが平行に対面すると共に第１プリズムおよび第２プリズムの結晶軸の方向が一致した方向に配置した光学プリズムにおいて、第２面と第３面との間に所定間隔の隙間を設け、この隙間に、それぞれに透明電極が配置された一対の透明基板と、透明基板の間に注入された液晶とからなる可変偏光手段を挿入することにより、透明電極への荷電状態によって、光学プリズムの偏光分離効果をスイッチングすることを特徴とする光学部材である。
請求項４に係る発明は、光源からの光束を請求項１〜３のいずれか一項に記載の光学部材を介して試料に照射する光分割手段と、試料からの光束を受光し画像信号を出力する撮像手段と、一対の透明電極に荷電されているときに撮像手段から出力された第１の画像信号と、一対の透明電極に荷電されていないときに撮像手段から出力された第２の画像信号とに基づいて、試料の光位相像と光透過率分布像とを任意の比率で重畳した第３の画像信号を出力する画像処理手段と、を備えることを特徴とする光学装置である。
【発明の効果】
【０００６】
本発明によれば、入射光の分割の有無を機動的に切り替えることが可能となる。
【図面の簡単な説明】
【０００７】
【図１】本発明の第１の実施の形態に係る光学部材の構成を示す断面図である。
【図２】液晶セル１０３の構造を示す断面図である。
【図３】本発明の第２の実施の形態に係る光学部材の構成を示す断面図である。
【図４】本発明の第３の実施の形態に係る光学部材の構成を示す断面図である。
【図５】本発明の第４の実施の形態に係る光学装置の構成を示す模式図である。
【発明を実施するための形態】
【０００８】
（第１の実施の形態）
図１は、本発明の第１の実施の形態に係る光学部材の構成を示す断面図である。光学部材１００は、第１の結晶基材１０１と、第２の結晶基材１０２と、液晶セル１０３と、から構成される。第１の結晶基材１０１と液晶セル１０３、および、第２の結晶基材１０２と液晶セル１０３は、それぞれ透明な光学接着剤により接着され、光学的に一体な光学部材１００を構成している。
【０００９】
第１の結晶基材１０１は、入射面Ａが光軸方向（図１において、紙面の上下方向）に対し垂直で界面Ｂが斜めになるように切り出された光学異方性を持つ結晶であり、その結晶軸の方向（一軸結晶であれば、その屈折率楕円体の非球面方向）は図１において紙面の左右方向となっている。第２の結晶基材１０２は、第１の結晶基材１０１を補完するような形状を有する第１の結晶基材１０１と同様の結晶であるが、その結晶軸の方向は第１の結晶基材１０１とは異なり、図１において紙面の前後方向となるように切り出されている。図１において第１の結晶基材１０１および第２の結晶基材１０２を塗りつぶす模様は、各々の結晶基材の結晶軸の方向を模式的に示すものである。第１の結晶基材１０１および第２の結晶基材１０２の間には液晶セル１０３が存在する。
【００１０】
図２は、液晶セル１０３の構造を示す断面図である。液晶セル１０３は、対向する第１のガラス基材１０４および第２のガラス基材１０５と、これら２つのガラス基材の間に充填されたネマチック液晶による液晶層１０８と、から構成される。ネマチック液晶は第１のガラス基材１０４、第２のガラス基材１０５、およびシール材１０９により封入されている。第１のガラス基材１０４の、第２のガラス基材１０５と対向する面Ｂ（液晶層１０８に接する面）には第１の透明導電膜１０６が形成されている。同様に、第２のガラス基材１０５の、第１のガラス基材１０４と対向する面Ｃには、第２の透明導電膜１０７が形成されている。すなわち、第１の透明導電膜１０６および第２の透明導電膜１０７は、互いに対向するように形成されている。
【００１１】
第１のガラス基材１０４および第２のガラス基材１０５の間隔は、スペーサー１１２により所定の幅となるように設定されている。また、これら２つの透明導電膜の表面（液晶層１０８と接する面）には、互いに直交するように配向された第１の配向膜１１０と第２の配向膜１１１が設けられている。これら２つの透明導電膜には、不図示のドライバー部材により交流荷電できるような配線がなされている。
【００１２】
２つの透明導電膜に荷電されていないとき、または各々の透明導電膜に同相の交流電圧が印加されている（実効的に荷電されていない）ときには、第１のガラス基材１０４および第２のガラス基材１０５の一方から入射した光は、偏光面が９０度回転して他方から出射する。また、各々の透明導電膜にそれぞれ位相が異なる交流電圧が印加されたときには、上述のような偏光面の回転はなく、入射光はそのまま液晶層１０８を通過する。なお、ネマチック液晶の配向を変えることにより、上述した荷電時および非荷電時の状態を逆転させることも可能である。
【００１３】
図１を用いて、光学部材１００に入射する光の振る舞いを説明する。光軸方向（図１の上下方向）に沿って第１の結晶基材１０１の入射面Ａに入射した光は、第１の結晶基材１０１の中をそのまま直進する。なお、このとき結晶軸の方向に等しい偏光面の光と、結晶軸の方向に対し垂直な方向の偏光面の光とでは第１の結晶基材１０１を通過する進行速度が異なり、光の偏光面は回転する。
【００１４】
直進した光はそのまま、入射面に対して斜めに切り取られている界面Ｂ（第１のガラス基材１０４に対向する面）および第１のガラス基材１０４を通過してネマチック液晶の液晶層１０８に入射する。上述した通り、第１の透明導電膜１０６および第２の透明導電膜１０７に荷電されていないとき（実効的に荷電されていないときも含む）には、液晶層１０８は入射光の変更状態に対し何の働きもしない。従って、光学部材１００への入射光は、液晶層１０８を通過し第２の結晶基材１０２に入射するとき、その界面Ｃで光軸に対称な２つの方向へ屈折することになる。これは、第２の結晶基材１０２の結晶軸の方向が、第１の結晶基材１０１の結晶軸の方向と直交するようになっているためである。
【００１５】
すなわち、第１の結晶基材１０１において偏光方向により異なる２つの屈折率が、第２の結晶基材１０２において反転することとなり、入射光は偏光方向により所定の角度を持つ２つの光束に分割され、出射面Ｄから出射する。以上のように、第１の透明導電膜１０６および第２の透明導電膜１０７に荷電されていないとき、光学部材１００は入射光に対していわゆるウォラストンプリズムと同様に働く。
【００１６】
他方、第１の透明導電膜１０６および第２の透明導電膜１０７に対してそれぞれ位相が異なる交流電圧が印加されていた場合、液晶層１０８に入射した光は偏光面が９０度回転して第２のガラス基材１０５に出射する。ここで偏光面が９０度回転したことにより、第２の結晶基材１０２の界面Ｃにおいて上述した屈折率の反転が起こらなくなる。つまり、一様な結晶基材の中を光が通過するのと同様に、入射光は分離されることなく第２の結晶基材１０２を通過し、そのまま出射する。
【００１７】
上述した第１の実施の形態による光学部材によれば、次の作用効果が得られる。
（１）入射面Ａと入射面Ａに対し平行でない界面Ｂとを有する、複屈折性結晶基材からなる第１の結晶基材１０１と、界面Ｃと界面Ｃに対し平行でない出射面Ｄとを有する、複屈折性結晶基材からなる第２の結晶基材１０２とを、界面Ｂと界面Ｃとが平行に対面するように配置した。そして、界面Ｂと界面Ｃとの間に所定間隔の隙間を設け、この隙間に、それぞれに第１の透明導電膜１０６および第２の透明導電膜１０７が配置された第１のガラス基材１０４および第２のガラス基材１０５と、第１のガラス基材１０４および第２のガラス基材１０５の間に注入された液晶層１０８とからなる液晶セル１０３を挿入することにより、第１の透明導電膜１０６および第２の透明導電膜１０７への荷電状態によって、偏光分離効果をスイッチング可能にした。このようにしたので、入射光の分割の有無を機動的に切り替えることが可能となる。また、液晶セル１０３の製造には通常の液晶製造ラインをそのまま利用することができるので、その製造も容易である。
【００１８】
（第２の実施の形態）
図３は、本発明の第２の実施の形態に係る光学部材の構成を示す断面図である。なお、以下の説明において、第１の実施の形態と同様の各部については、第１の実施の形態と同一の符号を付し説明を省略する。
【００１９】
光学部材２００は、第１の実施の形態の光学部材１００（図１）と同様の構成を有するが、第２の結晶基材１０２の代わりに、第１の結晶基材１０１と同一の結晶軸の方向を有する第３の結晶基材２０２が設けられている。光学部材２００をこのように構成したとき、第１の透明導電膜１０６および第２の透明導電膜１０７への荷電の有無と、光学部材２００の射出光との関係は、ちょうど第１の実施の形態に係る光学部材１００とは逆の関係になる。すなわち、第１の透明導電膜１０６および第２の透明導電膜１０７に荷電されていないとき、液晶層１０８に入射した光は偏光面が変化しないまま第２のガラス基材１０５に出射し、そのまま第３の結晶基材２０２を通過する。他方、第１の透明導電膜１０６および第２の透明導電膜１０７にそれぞれ位相が異なる交流電圧が荷電されると、入射光は偏光面が９０度回転して第２のガラス基材１０５に出射する。そして、第３の結晶基材２０２の界面において光軸に対称な２つの方向へ屈折する。
【００２０】
上述した第２の実施の形態による光学部材によれば、次の作用効果が得られる。
（１）入射面Ａと入射面Ａに対し平行でない界面Ｂとを有する、複屈折性結晶基材からなる第１の結晶基材１０１と、界面Ｃと界面Ｃに対し平行でない出射面Ｄとを有する、複屈折性結晶基材からなる第３の結晶基材２０２とを、界面Ｂと界面Ｃとが平行に対面するように配置した。そして、界面Ｂと界面Ｃとの間に所定間隔の隙間を設け、界面Ｂと界面Ｃとに第１の透明導電膜１０６および第２の透明導電膜１０７を配置し、第１の透明導電膜１０６および第２の透明導電膜１０７の間に注入された液晶層１０８からなる液晶セル１０３可変偏光手段を構成することにより、前記透明電極への荷電状態によって、偏光分離効果をスイッチング可能にした。このようにしたので、第１の実施の形態に比べ、単一の結晶から多くの部材（結晶基材）を得ることができ、製造工数および製造コストを削減することが可能となる。
【００２１】
（第３の実施の形態）
図４は、本発明の第３の実施の形態に係る光学部材の構成を示す断面図である。図４に示した本実施形態の光学部材３００は、ちょうど第１の実施の形態に係る光学部材１００（図１）から第１のガラス基材１０４および第２のガラス基材１０５を省略した構成となっている。つまり、第１の結晶基材１０１および第２の結晶基材１０２の斜面（対向する面）にそれぞれ第１の透明導電膜１０６および第２の透明導電膜１０７を設け、これら２面の間の距離が一定の間隔となるようスペーサー（不図示）を配し、表面に配向膜（不図示）を形成させた上で、この間隙にネマチック液晶を充填し液晶層１０８を形成させた。
【００２２】
上述した第３の実施の形態による光学部材によれば、次の作用効果が得られる。
（１）入射面Ａと入射面Ａに対し平行でない界面Ｂとを有する、複屈折性結晶基材からなる第１の結晶基材１０１と、界面Ｃと界面Ｃに対し平行でない出射面Ｄとを有する、複屈折性結晶基材からなる第２の結晶基材１０２とを、界面Ｂと界面Ｃとが平行に対面するように配置した。そして、界面Ｂと界面Ｃとの間に所定間隔の隙間を設け、界面Ｂと界面Ｃとにそれぞれ第１の透明導電膜１０６および第２の透明導電膜１０７を配置し、第１の透明導電膜１０６および第２の透明導電膜１０７の間に液晶層１０８を注入した。このように構成することで、第１の透明導電膜１０６および第２の透明導電膜１０７への荷電状態によって、偏光分離効果をスイッチング可能にした。このようにしたので、第１の実施の形態および第２の実施の形態に係る光学部材に比べ、製造コストを削減することが可能となる。
【００２３】
（第４の実施の形態）
図５は、本発明の第４の実施の形態に係る光学装置の構成を示す模式図である。なお、図５では本発明に係わる部材のみを示し、それ以外の部材については図示と説明を省略する。光学装置４００は、図５に破線で示した観察部５００に置かれた観察対象物を観察する顕微鏡として機能する光学装置である。光学装置４００の一方の端（図５の左端）には、図５の右方向に向かってコリメートされた光を出射する光源４０１が置かれ、光学装置４００の他方の端（図５の右端）には、図５の左方向から入射した光を受光し画像信号を出力する、例えばＣＭＯＳやＣＣＤ等の撮像素子４０６が置かれている。
【００２４】
光源４０１と観察部５００との間には、光源４０１の側から順に、図５の紙面に対して４５度の方向に偏光面を持つ第１の偏光板４０２と、図１に示した光学部材１００と同一の構成を有する第１の光学部材１００ａと、集光光学系４０３と、が設けられている。また、観察部５００と撮像素子４０６との間には、上述した光源４０１と観察部５００との間に設けられた各部材と対称の構造を持つ光学システムが設けられている。すなわち、観察部５００の側から順に、対物レンズ４０４と、図１に示した光学部材１００と同一の構成を有する第２の光学部材１００ｂと、図５の紙面に対して４５度の方向に偏光面を持つ第２の偏光板４０５と、が設けられている。
【００２５】
第１の光学部材１００ａおよび第２の光学部材１００ｂには、図１に示した第１の透明導電膜１０６および第２の透明導電膜１０７に荷電可能な液晶ドライバー４０７が接続されている。液晶ドライバー４０７は、第１の光学部材１００ａおよび第２の光学部材１００ｂの各々が有する第１の透明導電膜１０６および第２の透明導電膜１０７に対して荷電するか否かを切り替え可能に構成されている。つまり液晶ドライバー４０７は、第１の光学部材１００ａおよび第２の光学部材１００ｂがウォラストンプリズムのように働くか、あるいは第１の光学部材１００ａおよび第２の光学部材１００ｂが入射光をそのまま通過させるように働くか、を切り替えることができる。
【００２６】
撮像素子４０６から出力された画像信号は、画像処理部４０８に入力される。画像処理部４０８は入力された画像信号に対して後述する画像処理を行い、新たな画像信号を出力する。画像処理部４０８から出力された画像信号は、例えば不図示の表示装置に画像を表示したり、不図示の記憶装置に画像データを記憶したりするために利用される。
【００２７】
以下、液晶ドライバー４０７が第１の光学部材１００ａおよび第２の光学部材１００ｂに荷電する場合の、図５に示した光学装置４００の動作について説明する。光源４０１から出射された光は第１の偏光板４０２を通過し、第１の光学部材１００ａに入射する。第１の光学部材１００ａは、第１の実施の形態において説明したように、ウォラストンプリズムのように入射光を２つの光束に分離して出力する。第１の光学部材１００ａから出射した光は集光光学系４０３に入射する。集光光学系４０３は、第１の光学部材１００ａにより分離され拡散する光が並列した二重光になるように、その焦点面に分離点が来るように配置されている。集光光学系４０３の射出面の先には上述した観察部５００があり、集光光学系４０３から射出された光は観察対象物に照射される。
【００２８】
観察部５００を通過した光は、光源４０１から観察部５００までの光学系と対象の構造を持つ光学システムを通過して撮像素子４０６に入射する。具体的には、観察部５００を通過した光はまず観察部５００の後方に設置された、観察のための対物レンズ４０４に入射する。ここを通過した光は、対物レンズ４０４の後面の焦点位置に設置された第２の光学部材１００ｂに入射する。第２の光学部材１００ｂは、第１の光学部材１００ａにより２つの光束に分離されている入射光を１つにまとめて出射する。この光は第２の偏光板４０５により干渉成分が取り出され、分離光が互いに干渉して撮像素子４０６に入射する。その結果、撮像素子４０６は、観察対象物の微分干渉像を撮像し、微分干渉像の撮像信号を出力する。
【００２９】
他方、液晶ドライバー４０７が第１の光学部材１００ａおよび第２の光学部材１００ｂに荷電していない場合、第１の光学部材１００ａは入射光を分離せずそのまま通過させる。第２の光学部材１００ｂも同様であり、その結果、撮像素子４０６は、観察対象物の、空間に対する光透過率の分布像（以下、光透過率分布像と称する）を撮像し、撮像信号を出力する。液晶の駆動状態は瞬時に切り替えることができるので、光学装置４００は、液晶ドライバー４０７による荷電状態を切り替えることにより、観察対象物の微分干渉像と光透過率分布像とをほぼ同時に得ることができる。
【００３０】
ところで、観察対象物の微分干渉像は、その成分の中に観察対象物の光位相像と光透過率分布像とが混在した像である。従って、同一の観察対象物に対して微分干渉像の撮像信号と光透過率分布像の撮像信号とを得、それら２つの撮像信号を加法的に演算すれば、光位相像だけを取り出したり、光透過率分布像と光位相像との比率を任意に変更した像を得たりすることができる。以下、この点について説明する。
【００３１】
上述の通り微分干渉像は光位相像が光透過率分布像に重畳したものであり、光位相像の成分をＰ（Ｘ）、光透過率分布像の成分をＩ（Ｘ）とすると、微分干渉像の成分Ｄ（Ｘ）は次式（１）で表される。ここでＸは、標本における二次元座標である。
Ｄ（Ｘ）＝Ｐ（Ｘ）Ｉ（Ｘ）    ・・・（１）
【００３２】
従って、液晶ドライバー４０７により第１の光学部材１００ａおよび第２の光学部材１００ｂへ荷電させて得られた観察対象物の微分干渉像Ｄ（Ｘ）を、液晶ドライバー４０７により第１の光学部材１００ａおよび第２の光学部材１００ｂへ荷電させずに得られた観察対象物の光透過率分布像Ｉ（Ｘ）で割れば、観察対象物の光位相像Ｐ（Ｘ）を得ることができる。更に、光位相像Ｐ（Ｘ）と光透過率分布像Ｉ（Ｘ）とを一次結合すれば、前述したように光透過率分布像と光位相像との比率を任意に変更した像を得ることができる。
【００３３】
上述した第４の実施の形態による光学装置によれば、次の作用効果が得られる。
（１）光源４０１からの光束を、第１の光学部材１００ａを介して観察部５００に配置された試料に照射すると、撮像素子４０６は試料からの光束を受光し画像信号を出力する。画像処理部４０８は、第１の透明導電膜１０６および第２の透明導電膜１０７に荷電されているときに撮像素子４０６から出力された第１の画像信号と、第１の透明導電膜１０６および第２の透明導電膜１０７に荷電されていないときに撮像素子４０６から出力された第２の画像信号とに基づいて、試料の光位相像と光透過率分布像とを任意の比率で重畳した第３の画像信号を出力する。このようにしたので、観察対象物の透過光の強度と位相差との比率を機動的に切り替えることが可能となる。また、単一の光学装置だけで、通常の顕微鏡のような光透過率分布像と、通常の微分干渉の顕微鏡のような微分干渉像とを得ることができ、しかもそれらを機動的に切り替えることが可能となる。
【００３４】
次のような変形も本発明の範囲内であり、変形例の一つ、もしくは複数を上述の実施形態と組み合わせることも可能である。
【００３５】
（変形例１）
第４の実施の形態に係る光学装置４００において、第１の光学部材１００ａおよび第２の光学部材１００ｂは、第１の実施の形態に係る光学部材１００でなくてもよい。例えば、第２の実施の形態に係る光学部材２００であってもよいし、第３の実施の形態に係る光学部材３００であってもよい。また、第１の光学部材１００ａと第２の光学部材１００ｂとが同一の光学部材でなくてもよい。
【００３６】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００３７】
１００、２００、３００…光学部材、１００ａ…第１の光学部材、１００ｂ…第２の光学部材、１０１…第１の結晶基材、１０２…第２の結晶基材、１０３…液晶セル、１０４…第１のガラス基材、１０５…第２のガラス基材、１０６…第１の透明導電膜、１０７…第２の透明導電膜、１０８…液晶層、２０２…第３の結晶基材、４００…光学装置、４０１…光源、４０２…第１の偏光板、４０３…集光光学系、４０４…対物レンズ、４０５…第２の偏光板、４０６…撮像素子、４０７…液晶ドライバー、４０８…画像処理部、５００…観察部
【図１】
2013130807.tif 000003
【図２】
2013130807.tif 000004
【図３】
2013130807.tif 000005
【図４】
2013130807.tif 000006
【図５】
2013130807.tif 000007